(57)【要約】【課題】定在波の発生を防止するとともに、筐体内に放出された音波が減衰せずにバッフル板に戻って音質に影響を与えることを低減できるスピーカ装置を提案すること。【解決手段】筐体４内を等分する第１、第２仮想平面２２、２５を想定し、第１仮想平面２２の両側に第１、第２仕切板１３、１４を配置し、第２仮想平面２５の両側に第３、第４仕切板１５、１６を配置する。また、第１仕切板１３を第１仮想平面２２の対角線２２ａに沿って配置して左側空間２０を仕切る。第２仕切板１４を第１仮想平面２２の２２ｂに沿って配置して右側空間２１を仕切る。第３仕切板１５を第２仮想平面２５の対角線２５ａに沿って配置して前側空間２３を仕切る。第４仕切板１６を第２仮想平面２５の対角線２５ｂに沿って配置して後側空間２４を仕切る。これにより平行面が除去されるので定在波は発生せず、筐体４に放出された音波は複雑な反射を繰り返すので減衰する。【選択図】図２
2010068116.tif 000002
【特許請求の範囲】
【請求項１】
直方体形状の筐体を有するスピーカキャビネットの内部構造において、
前記筐体の内部空間を第１空間および第２空間に２等分している垂直または水平の第１仮想平面を両側から挟むように配置されている第１仕切板および第２仕切板と、
前記第１仮想平面と直交して前記内部空間を第３空間および第４空間に２等分している第２仮想平面を両側から挟むように配置されている第３仕切板および第４仕切板とを有し、
前記第１仕切板は、前記第１仮想平面の一方の対角線に沿って配置されて前記第１空間を２つに仕切っており、
前記第２仕切板は、前記第１仮想平面の他方の対角線に沿って配置されて前記第２空間を２つに仕切っており、
前記第３仕切板は、前記第２仮想平面の一方の対角線に沿って配置されて前記第３空間を２つに仕切っており、
前記第４仕切板は、前記第２仮想平面の他方の対角線に沿って配置されて前記第４空間を２つに仕切っていることを特徴とするスピーカキャビネットの内部構造。
【請求項２】
請求項１に記載されているスピーカキャビネットの内部構造において、
前記第１仕切板と前記第２仕切板とは同一形状であり、
前記第３仕切板と前記第４仕切板とは同一形状であることを特徴とするスピーカキャビネットの内部構造。
【請求項３】
請求項１または２に記載されているスピーカキャビネットの内部構造において、
各仕切板における前記筐体の内面と当接している端面部分は、接着剤によって前記筐体の内面に固定されていることを特徴とするスピーカキャビネットの内部構造。
【請求項４】
請求項３に記載されているスピーカキャビネットの内部構造において、
前記第１ないし第４仕切板のうちのいずれか一つの仕切板の端面部分はバッフル板の内面に接着されていることを特徴とするスピーカキャビネットの内部構造。
【請求項５】
請求項１ないし４のうちのいずれかの項に記載されているスピーカキャビネットの内部構造において、
前記第１仮想平面および前記第２仮想平面と直交して前記内部空間を第５空間および第６空間に２等分している第３仮想平面の両側に配置されている第１部分仕切板および第２部分仕切板を有し、
前記第１部分仕切板は前記筐体の内面および各仕切板と平行にならないようにして前記第５空間を部分的に仕切っており、
前記第２部分仕切板は前記筐体の内面および各仕切板と平行にならないようにして前記第６空間を部分的に仕切っていることを特徴とするスピーカキャビネットの内部構造。
【請求項６】
直方体形状の筐体を有し、
前記筐体は、請求項１ないし５のうちのいずれかの項に記載されている内部構造を備えていることを特徴とするスピーカキャビネット。
【請求項７】
直方体形状の筐体を有し、
前記筐体は、請求項１ないし５のうちのいずれかの項に記載されている内部構造を備えており、
前記筐体には、前記内部空間と前記筐体の外部とを連通させる開口が形成されていることを特徴とするスピーカキャビネット。
【請求項８】
直方体形状の筐体を有し、
前記筐体の内部は直方体形状の複数の仮想内部空間に分割されており、
各仮想内部空間は、請求項１ないし５のうちのいずれかの項に記載されている内部構造を備えていることを特徴とするスピーカキャビネット。
【請求項９】
請求項６、７または８に記載されているスピーカキャビネットと、スピーカユニットとを有するスピーカ装置。
【発明の詳細な説明】
【技術分野】
【０００１】
本発明は、スピーカキャビネットの筐体内における定在波の発生を防止するとともに、スピーカユニットの背面から筐体内に放出された音波が、筐体内で反射してスピーカユニットに戻り、スピーカユニットが再生する音声の音質に影響を与えることを低減或いは回避することができるスピーカキャビネットの内部構造、スピーカキャビネットおよびスピーカ装置に関する。
【背景技術】
【０００２】
スピーカ装置は一般的にスピーカユニットとスピーカキャビネットとを有している。スピーカキャビネットは、スピーカユニットが取付けられているバッフル板と、このバッフル板と所定の間隔を開けて平行に配置されている裏板と、バッフル板と裏板との間に平行に架け渡されている左右の左側板および右側板と、バッフル板と裏板との間に平行に架け渡されている上下の天板および底板から構成されている直方体形状の筐体を備えている。このようなスピーカ装置では、スピーカユニットから音声が出力されると、スピーカユニットの背面からスピーカキャビネットの筐体内に音波が放出される。また、筐体内に放出された音波は筐体を構成している平行な各板の内面の間で反射されるので、筐体内には定在波が発生する。
【０００３】
定在波が発生すると、定在波が発生している特定の周波数の音だけが響いたり強調させられたりするので、スピーカユニットが再生する音声の音質が低下してしまうという問題がある。このため、特許文献１に開示されているスピーカ装置では、筐体内に、バッフル板の右縁部分から裏板の左縁部分に向かって傾斜して延びる第１の板材とバッフル板の左縁部分から裏板の右縁部分に向かって傾斜して延びる第２の板材とを上下に並べて配置することにより、バッフル板の内面と裏板の内面が直接対向しないようにするとともに左側板の内面と右側板の内面が直接対向しないようにして、筐体内の平行面を削減し、定在波の発生を抑制している。また、同文献では、第２の板材の下側における底板の近傍に、底板と右側板の入隅から左側板に向かって僅かに上方に傾斜している第３の板材と、底板と左側板の入隅から右側板に向かって僅かに上方に傾斜している第４の板材の板材を前後に配置することにより、平行な天板と底板の各内面が直接対向しないようにして筐体内の平行面を削減して、定在波の発生を抑制している。
【特許文献１】特開２００８−１７２７４１号公報
【発明の開示】
【発明が解決しようとする課題】
【０００４】
しかし、スピーカキャビネットの筐体内に、バッフル板から裏板に向かって斜めに延びている第１、第２の板材を上下に配置した構成では、スピーカユニットの背面から放出された音波が、筐体内で反射された後に、第１、第２の板材を介してバッフル板に戻り易い。
【０００５】
例えば、図７のスピーカ装置の斜視図に模式的に示すように、筐体１００を構成しているバッフル板１０１に取り付けられているスピーカユニット１０２の背面から筐体内に放出された音波の一部Ｗ１は左側板１０３に達した後に反射されて第１の板材１０４に向かい、さらに第１の板材１０４で反射されてバッフル板１０１に向かう。同様に、スピーカユニット１０２の背面から放出された音波の一部Ｗ２は右側板１０５に達した後に反射されて第２の板材１０６に向かい、さらに第２の板材１０６で反射されてバッフル板１０１に向かう。また、スピーカユニット１０２の背面から放出された音波の一部Ｗ３は第１の板材１０４で反射されて左側板１０３に向かうが、左側板１０３で反射されると再び第１の板材１０４で反射されてバッフル板１０１に向かう。同様に、スピーカユニット１０２の背面から放出された音波の一部Ｗ４は第２の板材１０６で反射されて右側板１０５に向かうが、右側板１０５で反射されると再び第２の板材１０６で反射されてバッフル板１０１に向かう。
【０００６】
ここで、スピーカキャビネットの筐体内に放出された音波が減衰する前にバッフル板に戻ると、バッフル板に取り付けられているスピーカユニットの振動板の振動が阻害されるので、スピーカユニットが再生する音声の音質が低下してしまうという問題がある。
【０００７】
本発明の課題は、このような点に鑑みて、スピーカキャビネットの筐体内における定在波の発生を防止するとともに、筐体内に放出された音波が減衰する前にバッフル板に戻り、スピーカユニットが再生する音声の音質に影響を与えることを低減或いは回避することができるスピーカキャビネットの内部構造、スピーカキャビネットおよびスピーカ装置を提案することにある。
【課題を解決するための手段】
【０００８】
上記の課題を解決するために、本発明は、直方体形状の筐体を有するスピーカキャビネットの内部構造において、
前記筐体の内部空間を第１空間および第２空間に２等分している垂直または水平の第１仮想平面を両側から挟むように配置されている第１仕切板および第２仕切板と、
前記第１仮想平面と直交して前記内部空間を第３空間および第４空間に２等分している第２仮想平面を両側から挟むように配置されている第３仕切板および第４仕切板とを有し、
前記第１仕切板は、前記第１仮想平面の一方の対角線に沿って配置されて前記第１空間を２つに仕切っており、
前記第２仕切板は、前記第１仮想平面の他方の対角線に沿って配置されて前記第２空間を２つに仕切っており、
前記第３仕切板は、前記第２仮想平面の一方の対角線に沿って配置されて前記第３空間を２つに仕切っており、
前記第４仕切板は、前記第２仮想平面の他方の対角線に沿って配置されて前記第４空間を２つに仕切っていることを特徴とする。
【０００９】
本発明によれば、筐体の内部空間を第１空間および第２空間に２等分している垂直または水平の第１仮想平面の両側に第１および第２仕切板を有しており、第１仕切板は第１仮想平面の一方の対角線に沿って配置されて第１空間を２つに仕切り、第２仕切板は第１仮想平面の他方の対角線に沿って配置されて第２空間を２つに仕切っている。この結果、第１および第２仕切板は、筐体内で対向している２組の平行な内面の間に傾斜するように配置されるので、これら２組の平行な内面は直接対向しなくなり、筐体内の平行面が削減される。また、本発明によれば、筐体の内部空間を第１仮想平面と直交して第３空間および第４空間に２分割している第２仮想平面の両側に第３および第４仕切板を有しており、第３仕切板は、第２仮想平面の一方の対角線に沿って配置されて第３空間を２つに仕切っており、第４仕切板は、第２仮想平面の他方の対角線に沿って配置されて第４空間を２つに仕切っている。この結果、第３および第４仕切板は、筐体内で対向している２組の平行な内面の間に傾斜するように配置されるので、これら２組の平行な内面は直接対向しなくなり、筐体内の平行面が削減される。ここで、第１仮想平面と第２仮想平面とは直交しているので、第１および第２仕切板が配置されることによって直接対向しなくなった２組の平行な内面と第３および第４仕切板が配置されることによって直接対向しなくなった２組の平行な内面とは、１組が共通し、１組が異なるものになる。従って、本発明によれば、４枚の仕切板を筐体内に配置することによって、筐体内で対向している全３組の平行な内面が直接対向しなくなり、筐体内に存在する平行面は完全に除去される。この結果、筐体内に放出された音波が平行な２面の間で反射することを回避できるので、筐体内に定在波が発生することを防止できる。
【００１０】
また、本発明によれば、４枚の仕切板が互いに入り組むように配置されるので、筐体内に放出された音波は複雑な反射を繰り返す。より具体的には、第１仕切板とこの第１仕切板が配置されることにより直接対向しなくなった２組の平行な内面との間には第３仕切板または第４仕切板の一部分が入り込む。第２仕切板とこの第２仕切板が配置されることにより直接対向しなくなった２組の平行な内面との間にも第３仕切板または第４仕切板の一部分が入り込む。このため、筐体内に放出された音波が筐体内で反射した後に第１または第２仕切板に至っても、第１または第２仕切板で反射される音波の一部は第３または第４仕切板で反射されて、その進行方向が変更される。また、進行方向が変更された音波は、その後に、筐体の内面と仕切板との間で複雑な反射を繰り返すので、筐体内の特定の内面の側から放出された音波が減衰する前に特定の内面に戻ってしまうことを低減或いは回避できる。すなわち、バッフル板の側から筐体内に放出された音波が減衰する前にバッフル板に戻ることを低減或いは回避できるので、バッフル板にスピーカユニットが取り付けられている場合には、スピーカユニットの振動板の振動が阻害されることを低減或いは回避できる。よって、スピーカユニットが再生する音声の音質が向上する。さらに、筐体内に放出された音波が筐体内で複雑な反射を繰り返すことにより、指向性の強い中・高音域が効率よく減衰させられる。従って、筐体内に吸音材を配置する必要がない。また、筐体内に配置されている４枚の仕切板および筐体の内面により構成される音道は筐体内で面対称にならないように形成されるので、筐体内に放出された音波が筐体内で反射を繰り返すことによって特定の音域が強調されてしまうこともない。
【００１１】
さらに、本発明によれば、各仕切板は筐体内で向かい合う入隅部分から入隅部分に架け渡されるので、各仕切板が筐体の筋交いとして機能する。この結果、筐体の剛性が高くなるので、筐体内に放出された音波の音圧によって筐体が共振、或いは、振動してしまうことを回避できる。従って、筐体にスピーカユニットが取付けられている場合でも、筐体の振動がスピーカユニットに伝達されることがない。よって、スピーカユニットが再生する音声の音質が向上する。
【００１２】
本発明において、前記第１仕切板と前記第２仕切板とは同一形状であり、前記第３仕切板と前記第４仕切板とは同一形状であることが好ましい。このようにすれば、部材の共通化を図ることができる。また、各仕切板は、筐体内で向かい合う入隅部分から入隅部分に架け渡すだけで配置できるので、スピーカキャビネットの内部構造を廉価に構成できる。
【００１３】
本発明において、筐体の剛性を高めるためには、各仕切板における前記筐体の内面と当接している端面部分は、接着剤によって前記筐体の内面に固定されていることが望ましい。
【００１４】
この場合において、前記第１ないし第４仕切板のうちのいずれか一つの仕切板の端面部分はバッフル板の内面に接着されていることが望ましい。このようにすれば、バッフル板自体の剛性を高めることができるので、バッフル板にスピーカユニットが取り付けられた場合には、不要な振動がバッフル板からスピーカユニットに伝達されることがない。
【００１５】
本発明において、筐体内に放出された音波を複雑に反射させることにより、音波を減衰させるためには、前記第１仮想平面および前記第２仮想平面と直交して前記内部空間を第５空間および第６空間に２等分している第３仮想平面の両側に配置されている第１部分仕切板および第２部分仕切板を有し、前記第１部分仕切板は前記筐体の内面および各仕切板と平行にならないようにして前記第５空間を部分的に仕切っており、前記第２部分仕切板は前記筐体の内面および各仕切板と平行にならないようにして前記第６空間を部分的に仕切っていることが望ましい。
【００１６】
次に、本発明は、直方体形状の筐体を有し、前記筐体は、上記の内部構造を備えていることを特徴とするスピーカキャビネットとすることができる。
【００１７】
また、本発明は、直方体形状の筐体を有し、前記筐体は、上記の内部構造を備えており、前記筐体には、前記内部空間と前記筐体の外部とを連通させる開口が形成されていることを特徴とするスピーカキャビネットとすることができる。本発明によれば、上記の内部構造により筐体内に放出された音波の中・高音域を効率よく減衰させることができるので、開口から低音を出力することができる。また、開口から中・高音が漏れ出ることもない。
【００１８】
また、本発明は、直方体形状の筐体を有し、前記筐体の内部は直方体形状の複数の仮想内部空間に分割されており、各仮想内部空間は、上記の内部構造を備えていることを特徴とするスピーカキャビネットとすることができる。このようにしても、筐体内に上記の内部構造を１つだけ備えているスピーカキャビネットと同様に、スピーカキャビネットに取り付けられるスピーカユニットが再生する音声の音質を向上させることができる。
【００１９】
次に、本発明は、上記のスピーカキャビネットと、スピーカユニットとを有するスピーカ装置とすることができる。
【発明の効果】
【００２０】
本発明のスピーカキャビネットの内部構造、スピーカキャビネットおよびスピーカ装置によれば、スピーカユニットが再生する音声の音質が向上する。すなわち、４枚の仕切板をスピーカキャビネットの筐体内に配置することによって、筐体内に存在する平行面は完全に除去され、筐体内に放出された音波が平行な２面の間で反射することを回避できるので、筐体内に定在波が発生することを防止できる。
【００２１】
また、４枚の仕切板が互いに入り組むように配置されるので、筐体内に放出された音波は複雑な反射を繰り返す。この結果、バッフル板の側から筐体内に放出された音波が減衰する前にバッフル板に戻ることを低減或いは回避できるので、スピーカユニットの振動板の振動が阻害されることを低減或いは回避できる。
【００２２】
さらに、筐体内に放出された音波が筐体内で複雑な反射を繰り返すことにより、指向性の強い中・高音域が効率よく減衰させられる。また、筐体内に配置されている４枚の仕切板および筐体の内面により構成される音道は筐体内で面対称にならないように形成されるので、筐体内に放出された音波が筐体内で反射を繰り返すことによって特定の音域が強調されてしまうこともない。
【００２３】
また、筐体内に配置された各仕切板が、筐体の筋交いとして機能する。この結果、筐体の剛性が高くなるので、筐体内に放出された音波の音圧によって筐体が共振、或いは、振動してしまうことを回避できる。また、筐体にスピーカユニットが取付けられている場合でも、筐体の振動がスピーカユニットに伝達されることがない。
【発明を実施するための最良の形態】
【００２４】
以下に、図面を参照して本発明を適用したスピーカ装置の実施の形態を説明する。
【００２５】
（スピーカ装置）
図１は本例のスピーカ装置の斜視図である。図１に示すように、スピーカ装置１はスピーカユニット２とスピーカキャビネット３とを有している。スピーカキャビネット３は直方体形状の筐体４を備えており、この筐体４は、バッフル板５と、このバッフル板５と所定の間隔を開けて平行に配置されている裏板６と、バッフル板５と裏板６との間に平行に架け渡されている左右の左側板７および右側板８と、バッフル板５と裏板６との間に平行に架け渡されている上下の天板９および底板１０から構成されている。バッフル板５の右上側部分にはスピーカ取付孔１１が形成されており、スピーカユニット２は筐体４の内側からスピーカ取付孔１１を塞ぐようにバッフル板５に取り付けられている。裏板６の下端部分には開口１２が形成されており、この開口１２は低音を出力するためのポートになっている。筐体４の内部には４枚の仕切板１３、１４、１５、１６がそれぞれ傾斜するように配置されている。
【００２６】
（スピーカキャビネットの内部構造）
図２はスピーカキャビネットの内部構造を説明するための分解斜視図である。図２を参照して、スピーカキャビネット３の内部構造を説明する。
【００２７】
スピーカキャビネット３の筐体４内に４枚の仕切板１３、１４、１５、１６を配置するためには、まず、図２（ａ）に示すように、スピーカキャビネット３の筐体４の内部空間を左右の左側空間（第１空間）２０および右側空間（第２空間）２１に２等分する垂直の第１仮想平面２２を想定し、この第１仮想平面２２を両側から挟むように第１、第２仕切板１３、１４を配置する。第１、第２仕切板１３、１４は長方形の平板であり、第１仕切板１３と第２仕切板１４とは同一形状をしている。
【００２８】
そして、第１仕切板１３を、第１仮想平面２２の一方の対角線２２ａに沿って配置して左側空間２０を２つに仕切る。すなわち、第１仕切板１３をバッフル板５と底板１０との入隅部分から裏板６と天板９の入隅部分へと架け渡し、第１仕切板１３の筐体４の内面と当接している３辺の端面部分を接着剤で固定する。また、第２仕切板１４を、第１仮想平面２２の他方の対角線２２ｂに沿って配置して右側空間２１を２つに仕切る。すなわち、第２仕切板１４をバッフル板５と天板９との入隅部分から裏板６と底板１０の入隅部分へと架け渡し、第２仕切板１４の筐体４の内面と当接している３辺の端面部分を接着剤で固定する。
【００２９】
次に、図２（ｂ）に示すように、筐体４の内部空間を前後の前側空間（第３空間）２３および後側空間（第４空間）２４に２等分する垂直の第２仮想平面２５を想定し、この第２仮想平面２５を両側から挟むように第３、第４仕切板１５、１６を配置する。第１仮想平面２２と第２仮想平面２５とは直交している。また、第３、第４仕切板１５、１６は長方形の平板であり、第３仕切板１５と第４仕切板１６とは同一形状をしている。
【００３０】
そして、第３仕切板１５を、第２仮想平面２５の一方の対角線２５ａに沿って配置して前側空間２３を２つに仕切る。すなわち、第３仕切板１５を右側板８と底板１０との入隅部分から左側板７と天板９の入隅部分へと架け渡し、第３仕切板１５の筐体４の内面と当接している３辺の端面部分を接着剤で固定する。また、第４仕切板１６を、第２仮想平面２５の他方の対角線２５ｂに沿って配置して後側空間２４を２つに仕切る。すなわち、第４仕切板１６を左側板７と底板１０との入隅部分から右側板８と天板９の入隅部分へと架け渡し、第４仕切板１６の筐体４の内面と当接している３辺の端面部分を接着剤で固定する。
【００３１】
この結果、図２（ｃ）に示すように、筐体４内には４枚の仕切板１３、１４、１５、１６が互いに入り組むように配置される。より具体的には、第１仕切板１３とバッフル板５との間、および、第１仕切板１３と天板９との間には第３仕切板１５の上側部分が入り込む。第１仕切板１３と裏板６との間、および、第１仕切板１３と底板１０との間には第４仕切板１６の下側部分が入り込む。また、第２仕切板１４とバッフル板５との間、および、第２仕切板１４と底板１０との間には第３仕切板１５の下側部分が入り込む。第２仕切板１４と裏板６との間、および、第２仕切板１４と天板９との間には第４仕切板１６の上側部分が入り込む。ここで、筐体４内の中央位置において各仕切板１３、１４、１５、１６の端面部分が交差している交差部分２６に接着剤を塗布することにより、４枚の仕切板１３、１４、１５、１６を固着してある。
【００３２】
（スピーカキャビネットの筐体内における音波の反射）
図３は、スピーカ装置１において、スピーカキャビネット３のスピーカ取付孔１１に取付けられたスピーカユニット２の背面から筐体４内に放出された音波が筐体４内で反射する様子を模式的に示した説明図である。
【００３３】
図３に示すように、例えば、バッフル板５に取り付けられたスピーカユニット２の背面から筐体４内に放出された一部の音波Ａは、右側板８の反射部分８ａで反射された後に第２仕切板１４に至り、第２仕切板１４の反射部分１４ａで反射されてバッフル板５に向かおうとする。しかし、第２仕切板１４とバッフル板５との間には第３仕切板１５の下半部分が入り込んでいるので、音波Ａの一部は第３仕切板１５の反射部分１５ａで反射されて、その進行方向が変更され、右側板８に向う。また、進行方向が変更された音波Ａの一部は、その後、右側板８の反射部分８ｂで反射されて第２仕切板１４に向かい、第２仕切板１４の反射部分１４ｂで反射されて底板１０に向かう。さらに、底板１０の反射部分１０ａで反射されて第１仕切板１３に向かい、第１仕切板１３の反射部分１３ａで反射されて裏板６に向かう。
【００３４】
このように、スピーカ装置１では、筐体４内に放出された音波Ａは複雑な反射を繰り返すので、筐体４内に放出された音波Ａが減衰する前にバッフル板５に戻ってしまうことを低減できる。この結果、バッフル板５に取り付けられているスピーカユニット２の振動板の振動が音波Ａによって阻害されることを低減或いは回避できる。
【００３５】
また、４枚の仕切板１３、１４、１５、１６によって筐体４内からは平行面が完全に除去されているので、筐体４内に放出された音波が平行な２面の間で反射することを回避できる。この結果、定在波の発生を防止できる。さらに、４枚の仕切板１３、１４、１５、１６および筐体４の内面により構成される音道は筐体４内で面対称にならないように形成されるので、筐体４内に放出された音波Ａが筐体４内で反射を繰り返すことによって特定の音域が強調されてしまうこともない。
【００３６】
さらに、筐体４内に放出された音波Ａは筐体４内で複雑な反射を繰り返すので、指向性の強い中・高音域が効率よく減衰させられる。従って、本例のスピーカ装置１によれば、筐体４に形成されている開口１２から低音を出力できる。この結果、この開口１２から中・高音が漏れ出ることもない。
【００３７】
また、筐体４内における複雑な反射によって音波Ａを減衰させることができるので、筐体４内に吸音材を配置して、音波Ａを吸収する必要がない。この結果、吸音材を筐体４内に配置することによる弊害、例えば、筐体４内における音波Ａの自然な減衰が阻害されることによりスピーカ装置１で再生される音声の再現性が低下するという弊害、筐体４内に配置された吸音材により筐体４の容量が犠牲になり、低音域の再生が不利になるという弊害、等が発生しない。
【００３８】
ここで、スピーカ装置１では、バッフル板５の上端縁部分から裏板６の下端縁部分に向って傾斜するように配置されている第２仕切板１４の上側部分はスピーカユニット２の背面の近傍を通過している。このため、スピーカユニット２によって低音が再生される際には、バッフル板５と第２仕切板１４との間の空気が空気バネとして働き、スピーカユニット２の振動板が振れ過ぎることを抑えることができる。従って、本例のスピーカ装置１によれば、低音の再現性がよい。
【００３９】
また、第３仕切板１５の端面部分１５ｂは、バッフル板５の対角線５ａに沿ってバッフル板５の内面に当接しており、接着剤で固定されている（図２（ｂ）参照）。この結果、バッフル板５自体の剛性が高まるので、スピーカユニット２に不要な振動が伝達されることがない。よって、本例のスピーカ装置１によれば、スピーカユニット２が再生する音声の音質が向上する。
【００４０】
（その他の実施の形態）
なお、各仕切板１３、１４、１５、１６が傾斜する方向は上記の例に限られるものではない。すなわち、第１仕切板１３を第１仮想平面２２の他方の対角線２２ｂに沿って配置し、第２仕切板１４を第１仮想平面２２の一方の対角線２２ａに沿って配置してもよい。同様に、第３仕切板１５を第２仮想平面２５の他方の対角線２５ｂに沿って配置し、第４仕切板１６を第２仮想平面２５の一方の対角線２５ａに沿って配置してもよい。また、各仕切板１３、１４、１５、１６は対応する各空間を２つに仕切っていれば、筐体４内に配置される他の仕切板１３、１４、１５、１６と干渉しない範囲で自由な形状にすることができる。さらに、各仕切板１３、１４、１５、１６を筐体４の内面に固定する際に、金具を用いることもできる。
【００４１】
また、バッフル板５に形成されるスピーカ取付孔１１の位置はバッフル板５の中央でもよく、上記の例の位置に限られるものではない。さらに、上記の例では、バッフル板５に形成されているスピーカ取付孔１１は１つであり、スピーカキャビネット３の筐体４には、スピーカユニット２が１つだけ取り付けられているが、バッフル板５に複数のスピーカ取付孔１１を形成し、各スピーカ取付孔１１を塞ぐようにしてスピーカユニット２を取付けることにより、マルチウエイスピーカ装置とすることもできる。
【００４２】
（仕切板と部分仕切板とを備える構成例）
上記の例では、スピーカキャビネット３の筐体４内に４枚の仕切板１３、１４、１５、１６を備えているが、これらに加えて筐体４内に２枚の部分仕切板を備えることができる。図４は２枚の部分仕切板を備えるスピーカキャビネットの構成例を説明するための分解斜視図である。本例のスピーカキャビネット３Ａは、スピーカキャビネット３と共通する構成を備えているので、同一の構成には同一の符号を付して、その説明を省略する。
【００４３】
図４（ａ）は４枚の仕切板１３、１４、１５、１６の配置である。これら４枚の仕切板１３、１４、１５、１６に対して２枚の部分仕切板を配置する場合には、図４（ｂ）に示すように、まず、第１仮想平面２２および第２仮想平面２５と直交して筐体４の内部空間を上側空間（第５空間）３０および下側空間（第６空間）３１に２等分している第３仮想平面３２を想定し、この第３仮想平面３２の両側に第１部分仕切板３３および第２部分仕切板３４を配置する。
【００４４】
そして、第１部分仕切板３３を、筐体４の内面および各仕切板１３、１４、１５、１６と平行にならないように配置して、上側空間３０を部分的に仕切る。本例では、第１部分仕切板３３は、右側板８の上側部分から左側板７の上側部分に向かって後側に傾斜するようにして、天板９に沿って配置されている。第１部分仕切板３３は右側空間２１から左側空間２０に達しているとともに、前側空間２３から後側空間２４に達している。また、第２部分仕切板３４を、筐体４の内面および各仕切板１３、１４、１５、１６と平行にならないように配置して、下側空間３１を部分的に仕切る。本例では、第２部分仕切板３４は左側板７の下側部分から右側板８の下側部分に向かって後側に傾斜するようにして、底板１０に沿って配置されている。第２部分仕切板３４は左側空間２０から右側空間２１に達しているとともに、前側空間２３から後側空間２４に達している。この結果、スピーカキャビネット３Ａの筐体４内は、図４（ｃ）に示す状態になる。
【００４５】
このように構成したスピーカキャビネット３Ａのスピーカ取付孔１１にスピーカユニット２を取り付ければ、スピーカユニット２の背面から筐体４内に放出された音波は、筐体４の内面、各仕切板１３、１４、１５、１６に加えて、第１部分仕切板３３および第２部分仕切板３４によっても反射される。従って、筐体４内に放出された音波を減衰させることができる。特に、指向性の強い中・高音域を効果的に減衰させることができる。
【００４６】
なお、第１部分仕切板３３および第２部分仕切板３４は、左側板７または右側板８から筐体４の内側に向かって突出するように配置されていればよく、必ずしも、天板９または底板１０に沿って配置されている必要はない。
【００４７】
（第１仮想平面を水平面とする構成例）
上記の例では、第１仮想平面２２は垂直面であるが、第１仮想平面を水平面として構成することもできる。図５は第１仮想平面を水平面としたスピーカキャビネットの構成例を説明するための分解斜視図である。本例のスピーカキャビネット３Ｂは、スピーカキャビネット３と共通する構成を備えているので、同一の構成には同一の符号を付して、その説明を省略する。
【００４８】
本例では、図５（ａ）に示すように、まず、筐体４の内部空間を上下の上側空間（第１空間）４０および下側空間（第２空間）４１に２等分する水平な第１仮想平面４２を想定し、この第１仮想平面４２の両側に第１仕切板４３および第２仕切板４４を配置する。第１、第２仕切板４３、４４は長方形の平板であり、第１仕切板４３と第２仕切板４４とは同一形状をしている。
【００４９】
そして、第１仕切板４３を、第１仮想平面４２の一方の対角線４２ａに沿って配置して上側空間４０を２つに仕切る。より具体的には、第１仕切板４３をバッフル板５と右側板８との入隅部分から裏板６と左側板７の入隅部分へと架け渡し、第１仕切板４３の筐体４の内面と当接している３辺の端面部分を接着剤で固定する。また、第２仕切板４４を、第１仮想平面４２の他方の対角線４２ｂに沿って配置して下側空間４１を２つに仕切る。より具体的には、バッフル板５と左側板７との入隅部分から裏板６と右側板８の入隅部分へと架け渡し、第２仕切板４４の筐体４の内面と当接している３辺の端面部分を接着剤で固定する。
【００５０】
次に、図５（ｂ）に示すように、第１仮想平面４２と直交して、筐体４の内部空間を２等分する垂直の第２仮想平面を想定する。本例では、スピーカキャビネット３と同様の第２仮想平面２５を想定しているので、第３、第４仕切板１５、１６は、スピーカキャビネット３と同様に配置される。この結果、図５（ｃ）に示すように、筐体４内には４枚の仕切板４３、４４、１５、１６が互いに入り組むように配置される。
【００５１】
このように構成しても、スピーカキャビネット３と同様の効果を得ることができる。また、スピーカキャビネット３Ｂのスピーカ取付孔１１にスピーカユニット２を取り付けた場合には、スピーカ装置１と同様の効果を得ることができる。
【００５２】
なお、第１仮想平面４２と直交して、筐体４の内部空間を２等分する垂直の第２仮想平面として、筐体４の内部空間を左右に分割する垂直平面を想定してもよい。
【００５３】
（スピーカキャビネットの内部構造を複数備える構成例）
次に、スピーカキャビネットの筐体内にスピーカキャビネット３の内部構造を複数備える構成とすることもできる。図６はスピーカキャビネットの筐体内にスピーカキャビネット３の内部構造を複数備える構成例を示す斜視図である。なお、図６（ａ）、（ｂ）、（ｃ）に示す各スピーカキャビネットにおいて、スピーカキャビネット３の内部構造と共通する構成には同一の符号を付してその説明を省略する。
【００５４】
図６（ａ）に示すスピーカキャビネット３Ｃでは、スピーカキャビネット３Ｃの筐体４Ｃの内部空間は、直方体形状の上下の上側仮想内部空間５０と下側仮想内部空間５１に分割されており、上側および下側仮想内部空間５０、５１のそれぞれに４枚の仕切板１３、１４、１５、１６が配置されている。
【００５５】
図６（ｂ）に示すスピーカキャビネット３Ｄでは、スピーカキャビネット３Ｄの筐体４Ｄの内部空間は、直方体形状の左右の左側仮想内部空間５２と右側仮想内部空間５３に分割されており、左側および右側仮想内部空間５２、５３のそれぞれに４枚の仕切板１３、１４、１５、１６が配置されている。
【００５６】
図６（ｃ）に示すスピーカキャビネット３Ｅでは、スピーカキャビネット３Ｅの筐体４Ｅの内部空間は、直方体形状の前後の前側仮想内部空間５４と後側仮想内部空間５５に分割されており、前側および後側仮想内部空間５４、５５のそれぞれに４枚の仕切板１３、１４、１５、１６が配置されている。
【００５７】
これらのように、スピーカキャビネット３の内部構造を複数備えるスピーカキャビネット３Ｃ、３Ｄ、３Ｅでも、スピーカキャビネット３と同様の効果を得ることができる。また、各スピーカキャビネット３Ｃ、３Ｄ、３Ｅにスピーカユニット２を取り付けてスピーカ装置とした場合には、スピーカ装置１と同様の効果を得ることができる。
【００５８】
なお、スピーカキャビネットの筐体内にスピーカキャビネット３の内部構造を複数備える場合には、直方体形状の仮想内部空間が連続する方向によって、異なる仮想内部空間内に配置されている仕切板１３、１４、１５、１６が相互に平行に配置されてしまい、対向する平行面が形成されることがある。このような場合には、形成された平行面の間で音波が反射して定在波が発生してしまう可能性があるので、異なる仮想内部空間内に配置されている仕切板１３、１４、１５、１６の各平行な各面が直接対向しないように、各仕切板１３、１４、１５、１６の傾斜方向を変更することが望ましい。具体的には、第１仕切板１３と第２仕切板１４との間で、各仕切板１３、１４、１５、１６が沿っている第１仮想平面２２の対角線２２ａと２２ｂとを入れ替えたり、第３仕切板１５と第４仕切板１６との間で、各仕切板１３、１４、１５、１６が沿っている第２仮想平面２５の対角線２５ａと２５ｂとを入れ替えたりして、平行な面を除去する。或いは、第１仮想平面２２や第２仮想平面２５の向きを変更して、それに対応するように各仕切板１３、１４、１５、１６の傾斜方向を変更することにより、平行な面を除去する。
【図面の簡単な説明】
【００５９】
【図１】本例のスピーカ装置の斜視図である。
【図２】スピーカキャビネットの内部構造を説明するための分解斜視図であり、（ａ）は第１、第２仕切板の配置を示し、（ｂ）は第３、第４仕切板の配置を示し、（ｃ）は４枚の仕切板が筐体内に配置された状態を示している。
【図３】図２のスピーカキャビネットに取付けられたスピーカユニットの背面から筐体内に放出された音波が筐体内で反射する様子を模式的に示した説明図である。
【図４】２枚の部分仕切板を備えるスピーカキャビネットの構成例を説明するための分解斜視図であり、（ａ）は４枚の仕切板の配置を示し、（ｂ）は２枚の部分仕切板の配置を示し、（ｃ）は４枚の仕切板および２枚の部分仕切板が筐体内に配置された状態を示している。
【図５】第１仮想平面を水平面としたスピーカキャビネットの構成例を説明するための分解斜視図であり、（ａ）は第１、第２仕切板の配置を示し、（ｂ）は第３、第４仕切板の配置を示し、（ｃ）は４枚の仕切板が筐体内に配置された状態を示している。
【図６】筐体内に図２に示すスピーカキャビネットの内部構造を複数備える構成例を説明するための斜視図であり、（ａ）は上下方向に複数の内部構造を備える例であり、（ｂ）は左右方向に複数の内部構造を備える例であり、（ｃ）は前後方向に複数の内部構造を備える例である。
【図７】従来のスピーカ装置において、スピーカユニットの背面から筐体内に放出された音波がスピーカキャビネットの筐体内で反射する様子を模式的に示した説明図である。
【符号の説明】
【００６０】
１  スピーカ装置
２、１０２  スピーカユニット
３、３Ａ、３Ｂ、３Ｃ、３Ｄ、３Ｅ   スピーカキャビネット
４、４Ｃ、４Ｄ、４Ｅ、１０１  筐体
５、１００  バッフル板
６  裏板
７、１０３  左側板
８、１０５  右側板
９  天板
１０  底板
１１  スピーカ取付孔
１２  開口
１３、１４、１５、１６、４３、４４  仕切板
２０  左側空間（第１空間）
２１  右側空間（第２空間）
２２、２５、３２、４２  仮想平面
２３  前側空間（第３空間）
２４  後側空間（第４空間）
２６  交差部分
３０  上側空間（第５空間）
３１  下側空間（第６空間）
３３、３４  部分仕切板
４０  上側空間（第１空間）
４１  下側空間（第２空間）
５０、５１、５２、５３、５４  仮想内部空間
１０４、１０６  板材
Ａ  音波
Ｗ１〜Ｗ４  音波の一部
【図１】
2010068116.tif 000003
【図２】
2010068116.tif 000004
【図３】
2010068116.tif 000005
【図４】
2010068116.tif 000006
【図５】
2010068116.tif 000007
【図６】
2010068116.tif 000008
【図７】
2010068116.tif 000009